(57)【要約】【課題】複数区間の伝送路の切り替えを並行して実行することができる光伝送システムを提供する。【解決手段】複数の現用系伝送路装置と複数の予備系伝送路装置とこれらを制御する制御装置とを含む光伝送システムであって、当該制御装置からの伝送路切替指示が、自身以外の現用系伝送路装置の現用系伝送路を切り替えるべき旨の指示である場合に当該現用系伝送路装置へ自身の現用系伝送路を切り替えるべき旨の伝送路切替指示を発する。【選択図】図５
2010074601.tif 000002
【特許請求の範囲】
【請求項１】
各々が現用系伝送路を介して相互に接続された複数の現用系伝送路装置と、
各々が予備系伝送路を介して相互に接続された複数の予備系伝送路装置と、
各々が自身の配下にある現用系伝送路装置へ伝送路切替指示を発する複数の制御装置と、を含む光伝送システムであって、
前記現用系伝送路装置は、
自身の現用系伝送路を切り替えるべき旨の伝送路切替指示に応じて当該現用系伝送路及びこれと対になっている予備系伝送路に係る現用系伝送路装置及び予備系伝送路装置と協働して当該現用系伝送路と当該予備系伝送路とを切り替える伝送路切替部と、
自身以外の他の現用系伝送路装置の現用系伝送路を切り替えるべき旨の伝送路切替指示に応じて当該他の現用系伝送路装置へ自身の現用系伝送路を切り替えるべき旨の伝送路切替指示を発する遠隔伝送路切替指示部と、を含むことを特徴とする光伝送システム。
【請求項２】
前記遠隔伝送路切替指示部は、前記伝送路切替指示に伝送路装置識別子を含めて発し、
前記伝送路切替部は、前記伝送路装置識別子が自身の属する現用系伝送路装置を表していると判別した場合に現用系伝送路を切り替えることを特徴とする請求項１に記載の光伝送システム。
【請求項３】
前記現用系伝送路及び予備系伝送路の各々は、上り及び下りの２系統の伝送路からなり、
前記遠隔伝送路切替指示部は、前記伝送路切替指示に上り又は下り方向を表す伝送路切替方向を含めて発し、
前記伝送路切替部は、前記伝送路切替方向に応じて前記現用系伝送路及び予備系伝送路を切り替えることを特徴とする請求項１に記載の光伝送システム。
【請求項４】
前記現用系伝送路装置及び予備系伝送路装置の各々は、ヘッダを含むフレームフォーマットに従ってデータを伝送し、
前記遠隔伝送路切替指示部は、前記ヘッダ内に前記伝送路切替指示を含めて発することを特徴とする請求項１乃至３のいずれかに記載の光伝送システム。
【請求項５】
前記ヘッダは、セクションオーバーヘッドであることを特徴とする請求項４に記載の光伝送システム。
【請求項６】
前記伝送路切替部は、前記制御装置からの伝送路切替指示と前記現用系伝送路装置からの伝送路切替指示とを共に受けた場合には、これらのうちのいずれか一方の伝送路切替指示のみに応じることを特徴とする請求項１に記載の光伝送システム。
【発明の詳細な説明】
【技術分野】
【０００１】
本発明は、現用系及び予備系の２系統の伝送路を有する光伝送システムに関する。
【背景技術】
【０００２】
一般に光伝送システムでは、伝送路の障害等に対応できるように伝送路及びその伝送路の切り替えを行う伝送路装置を冗長化している。伝送路装置は、制御装置等からの伝送路の切り替え指示に応じて伝送路を切り替える。通常、制御装置は自身の配下の伝送路装置にのみ切り替え指示を発することができ、自身の配下にない遠隔の伝送路装置に対して切り替え指示を発するには工夫を要する。例えば、特許文献１には、ＳＯＮＥＴ(Synchronous Optical NETwork)規格で規定されているオーバーヘッドのバイトのうちのＫ１及びＫ２バイトを用いて遠隔の伝送路を切り替える光伝送システムが開示されている。この光伝送システムでは、遠隔伝送路の切り替えに際し、Ｋ１及びＫ２バイトの情報を受信した伝送路装置が遠隔の伝送路装置へ中継することにより、遠隔の伝送路を切り替えていた。
【特許文献１】特開平９−３６８２４号公報
【発明の開示】
【発明が解決しようとする課題】
【０００３】
しかしながら、特許文献１に開示される光伝送システムは、Ｋ１及びＫ２バイトの情報を伝送路装置間で中継しており、切り替え対象の伝送路装置間でこれらの情報を使用している間、中継区間内ではこれらの情報が占有されていることになり、切り替え対象以外の伝送路の切り替えができないという問題があった。伝送路の障害発生時には、複数の伝送路の切り替えを並行して行いたいという要望がある。
【０００４】
本発明は上記した如き問題点に鑑みてなされたものであって、複数区間の伝送路の切り替えを並行して実行することができる光伝送システムを提供することを目的とする。
【課題を解決するための手段】
【０００５】
本発明による光伝送システムは、各々が現用系伝送路を介して相互に接続された複数の現用系伝送路装置と、各々が予備系伝送路を介して相互に接続された複数の予備系伝送路装置と、各々が自身の配下にある現用系伝送路装置へ伝送路切替指示を発する複数の制御装置と、を含む光伝送システムであって、前記現用系伝送路装置は、自身の現用系伝送路を切り替えるべき旨の伝送路切替指示に応じて当該現用系伝送路及びこれと対になっている予備系伝送路に係る現用系伝送路装置及び予備系伝送路装置と協働して当該現用系伝送路と当該予備系伝送路とを切り替える伝送路切替部と、自身以外の他の現用系伝送路装置の現用系伝送路を切り替えるべき旨の伝送路切替指示に応じて当該他の現用系伝送路装置へ自身の現用系伝送路を切り替えるべき旨の伝送路切替指示を発する遠隔伝送路切替指示部と、を含むことを特徴とする。
【発明の効果】
【０００６】
本発明による光伝送システムによれば、複数区間の伝送路の切り替えを並行して実行することができる。
【発明を実施するための最良の形態】
【０００７】
以下、本発明に係る実施例について添付の図面を参照しつつ詳細に説明する。
【０００８】
図１は本実施例による光伝送システム１を表すブロック図である。光伝送システム１は、現用系伝送路装置１０−０〜１０−ｎ（ｎは１以上の整数）と、予備系伝送路装置２０−０〜２０−ｎと、現用系制御装置３０−１〜Ｎ（Ｎは２以上の整数）と、予備系制御装置４０−１〜Ｎと、を含む。
【０００９】
現用系伝送路装置１０−０〜１０−ｎの各々は現用系伝送路を介して直列に接続されている。詳細には現用系伝送路装置１０−０と１０−１とは現用系伝送路６０−０を介して、現用系伝送路装置１０−１と１０−２とは現用系伝送路６０−１を介して、・・・、現用系伝送路装置１０−（ｎ−１）と１０−ｎとは現用系伝送路６０−（ｎ−１）を介して、それぞれ相互に接続されている。現用系伝送路６０−０〜６０−ｎの各々は上り伝送路と下り伝送路とからなる。
【００１０】
現用系伝送路装置１０−１は現用系伝送路６０−０及び６０−１について、現用系伝送路装置１０−２は現用系伝送路６０−１及び６０−２について、・・・、現用系伝送路装置１０−ｎは現用系伝送路６０−（ｎ−１）及び６０−ｎについて、それぞれ制御することができる。以下、現用系伝送路装置が自身で直接、制御することのできる伝送路をその現用系伝送路装置にとっての「自身の現用系伝送路」と称する。
【００１１】
予備系伝送路装置２０−０〜２０−ｎの各々は予備系伝送路を介して直列に接続されている。詳細には予備系伝送路装置２０−０と２０−１とは予備系伝送路７０−０を介して、予備系伝送路装置２０−１と２０−２とは予備系伝送路７０−１を介して、・・・、予備系伝送路装置２０−（ｎ−１）と２０−ｎとは予備系伝送路７０−（ｎ−１）を介して、それぞれ相互に接続されている。予備系伝送路７０−０〜７０−ｎの各々は上り伝送路と下り伝送路とからなる。
【００１２】
予備系伝送路装置２０−１は予備系伝送路７０−０及び７０−１について、予備系伝送路装置２０−２は予備系伝送路７０−１及び７０−２について、・・・、予備系伝送路装置２０−ｎは予備系伝送路７０−（ｎ−１）及び７０−ｎについて、それぞれ制御することができる。以下、予備系伝送路装置が自身で直接、制御することのできる伝送路をその予備系伝送路装置にとっての「自身の予備系伝送路」と称する。
【００１３】
現用系伝送路装置１０−０〜１０−ｎ及び予備系伝送路装置２０−０〜２０−ｎは、ＩＴＵ−Ｔにおいて標準化されたシンクロナスデジタルハイアラーキ（ＳＤＨ：Synchronous Digital Hierarchy）規格に従ってデータを伝送する。ＳＤＨ規格では通常、１２５マイクロ秒単位でフレームが時分割多重化され、フレームの各々にセクションオーバーヘッド（ＳＯＨ：Section OverHead）と呼ばれるヘッダが付加されている。フレームのペイロードには伝送データが格納され、ヘッダには各種制御のための情報が含まれている。
【００１４】
現用系制御装置３０−１は現用系伝送路装置１０−０及び１０−１を自身の配下とし、これらを制御する装置である。現用系制御装置３０−２は現用系伝送路装置１０−２を、現用系制御装置３０−３は現用系伝送路装置１０−３を、・・・、現用系制御装置３０−Ｎは現用系伝送路装置１０−ｎを自身の配下とし、それぞれ自身の配下の現用系伝送路装置を制御する装置である。現用系制御装置３０−１〜３０−Ｎの各々は自身の配下以外の現用系伝送路装置については直接的には制御できない。
【００１５】
現用系制御装置３０−１〜３０−Ｎの各々は、現用系伝送路装置１０−０〜１０−ｎのうちのいずれかとそれと対になる予備系伝送路との切替指示を自身の配下の現用系伝送路装置へ発することができる。
【００１６】
予備系制御装置４０−１は予備系伝送路装置２０−０及び２０−１を制御する装置である。予備系制御装置４０−２は予備系伝送路装置２０−２を、予備系制御装置４０−３は予備系伝送路装置２０−３を、・・・、予備系制御装置４０−Ｎは予備系伝送路装置２０−ｎを自身の配下とし、それぞれ自身の配下の現用系伝送路装置を制御する装置である。予備系制御装置４０−１〜４０−Ｎの各々は自身の配下以外の予備系伝送路装置については直接的には制御できない。
【００１７】
図２は、現用系伝送路装置１０−１を表すブロック図である。現用系伝送路装置１０−１はフレーム伝送部１１と、伝送路切替部１２と、遠隔伝送路切替指示部１３と、を含む。
【００１８】
フレーム伝送部１１は、ＳＤＨ規格に従って上り方向の伝送路ＵＦ又は下り方向の伝送路ＤＦにフレームを伝送する。フレーム伝送部１１は、伝送路切替部１２の伝送路切替信号ＫＫに基づいて装置伝送路の切替制御を実施する。
【００１９】
伝送路切替部１２は、現用系制御装置３０−１からの伝送路切替指示ＳＳ又はフレーム伝送部１１が受信したフレームのヘッダに含まれている遠隔伝送路切替信号ＥＫが、自身の現用系伝送路（現用系伝送路６０−０又６０−１）を切り替えるべき旨の指示であると判別した場合、当該現用系伝送路に係る現用系制御装置及び予備系制御装置の各々に含まれる伝送路切替部１２は、相互間の切替条件下のもとこれを切り替える。
【００２０】
例えば、現用系伝送路装置１０−１の伝送路切替部１２と、予備系伝送路装置２０−１の伝送路切替部１２は、それぞれ自身の伝送路装置状態(現用／予備)を認識しており、同状態と受信した切替情報から、自身が切替の主導となる装置系であることを認識し、現用系と予備系の伝送路切替を行う。尚、伝送路切替の主導となる伝送路装置は、自装置の正常性に応じ、現用系の場合もあれば、予備系の場合も主導に成り得る。また、現用系伝送路装置１０−１の伝送路切替部１２と、現用系伝送路装置１０−０又は１０−２の伝送路切替部１２とは、現用系伝送路６０−０又は６０−１を介して、伝送切替信号ＫＫ（具体的にはフレームヘッダ内のＫ１、Ｋ２）を相互に交換することにより切替処理を行う。
【００２１】
また、伝送路切替部１２は、伝送路切替指示ＳＳ及び遠隔伝送路切替信号ＥＫを共に受け取ったときには、これらのうちのいずれか一方の切替指示に応じて伝送路の切替処理を行う。
【００２２】
遠隔伝送路切替指示部１３は、現用系制御装置３０−１からの伝送路切替指示ＳＳが、自身の現用系伝送路以外の伝送路を切り替えるべき旨の指示であると判別した場合、フレームのヘッダに遠隔伝送路切替信号ＥＫを含め、フレーム伝送部１１をしてこれを送信せしめる。
【００２３】
遠隔伝送路切替信号ＥＫは、ＳＯＨ内の未使用領域のうちの１つに割り当てられる。図３はＳＯＨ領域とその領域に割り当てられる信号を表す図である。太枠内がＳＯＨ領域であり、伝送切替信号であるＫ１信号及びＫ２信号はそれぞれ５行４列目、５行７列目に割り当てられている。遠隔伝送路切替信号ＥＫは未使用領域である例えば３行２列目に割り当てられる。なお、ＳＯＨには通信業者によりその使用がゆだねられている未使用領域が複数あるので、３行２列目以外の未使用領域に遠隔伝送路切替信号ＥＫを割り当てても良い。遠隔伝送路切替信号ＥＫは１バイトの情報であり、詳細には図４に示される如く４つの信号ＳＮ、ＫＵ、ＵＤ及びＲＡを含む。
【００２４】
切替伝送装置認識信号ＳＮは、伝送路切替の対象となる伝送路装置の識別子である。伝送路切替部１２は、この識別子に基づいて自身が切替対象の装置であるか否かを判別する。
【００２５】
切替有無信号ＫＵは、実際に切替を行うか否かを表す信号である。伝送路切替部１２は、この信号に基づいて実際に切り替えを行うか否かを判別する。
【００２６】
上り／下り伝送路切替選択信号ＵＤは、切替対象となる伝送路が上りの伝送路であるか下りの伝送路であるかを表す信号である。伝送路切替部１２は、この信号に基づいて切替対象となる伝送路が自身から見て上りの伝送路であるか下りの伝送路であるかを判別する。
【００２７】
遠隔切替リアクション信号ＲＡは、遠隔伝送路の切替処理が継続中であることを、切替指示元の現用系伝送路装置へ通知する信号である。伝送路切替部１２は、遠隔伝送路の切替処理中、継続してこの信号を切替指示元の現用系伝送路装置へ送信する。
【００２８】
現用系伝送路装置１０−１には、上記したブロック以外にも、各種計算及び制御等を実行する制御部（図示せず）や光信号と電気信号を相互に変換する信号変換部（図示せず）などを備えている。現用系伝送路装置１０−０及び１０−２〜１０−ｎの各々、予備系伝送路装置２０−０〜１０−ｎの各々も、上記した現用系伝送路装置１０−１と同様の構成である。
【００２９】
図５は、光伝送システム１の一部を詳細に表したブロック図である。制御端末５０−１〜５０−３の各々は例えばパーソナルコンピュータなどの端末であり、光伝送システム１の管理者等はこれに伝送路の切替指示を入力することができる。制御端末５０−１は現用系制御装置３０−１及び予備系制御装置４０−１へ、制御端末５０−２は現用系制御装置３０−２及び予備系制御装置４０−２へ、制御端末５０−３は現用系制御装置３０−３及び予備系制御装置４０−３へ、それぞれ伝送路の切替指示を例えばインターネットなどの通信路を介して伝達することができる。
【００３０】
以下、現用系伝送路６０−１及び予備系伝送路７０−１の区間を区間Ｌ１、現用系伝送路６０−２及び予備系伝送路７０−２の区間を区間Ｌ２とそれぞれ称する。図６は、伝送路切替処理における光伝送システム１の動作を表すシーケンス図である。以下、図５及び６を参照しつつ、制御端末５０−１から区間Ｌ２の伝送路を切り替えるべき旨の指示が発せられた場合における光伝送システム１の動作について説明する。
【００３１】
先ず、制御装置３０−１は、制御端末５０−１からの区間Ｌ２の伝送路切替要求に応じて、配下の伝送路装置である現用系伝送路装置１０−１へ区間Ｌ２の伝送路切替指示を発する（ステップＳ１０１）。
【００３２】
例えば現用系制御装置３０−１〜３０−Ｎ及び現用系伝送路装置１０−０〜１０−ｎの各々が例えば図７に示される伝送路装置対応テーブルを予め保持する。「伝送路装置識別子」Ｍ１０−０〜Ｍ１０−ｎは現用系伝送路装置１０−０〜１０−ｎの各々に対応付けられた固有の識別子である。「伝送路識別子」Ｄ６０−０〜Ｄ６０−ｎは現用系伝送路６０−０〜６０−ｎの各々に対応付けられた固有の識別子である。「区間番号」Ｌ０〜Ｌｎは現用系伝送路６０−０〜６０−ｎの各々に対応付けられた区間番号である。
【００３３】
伝送路装置識別子に対応する現用系制御装置から見て上り方向にある伝送路の伝送路識別子及びその伝送路に対応する区間番号と、下り方向にある伝送路の伝送路識別子及びその伝送路に対応する区間番号と、が伝送路装置識別子毎に対応付けられている。
【００３４】
制御装置３０−１は、伝送路切替指示において区間番号Ｌ２を指示しても良いし、伝送路識別子６０−２を指示しても良い。現用系伝送路装置１０−１の伝送路切替部１２は、伝送路装置対応テーブルの対応付けに基づいて伝送路切替指示に係る伝送路が自身の伝送路か否かを判別できる。
【００３５】
伝送路切替指示を受けた現用系伝送路装置１０−１の伝送路切替部１２は、区間Ｌ２の伝送路すなわち現用系伝送路６０−２が自身の伝送路でないと判別し、自身は伝送路切替処理を行わない。一方、遠隔伝送路切替指示部１３は、区間Ｌ２の伝送路である現用系伝送路６０−２が自身の伝送路でないと判別し、遠隔伝送路切替信号を発する（ステップＳ１０２）。
【００３６】
遠隔伝送路切替指示部１３は、伝送路装置対応テーブルの対応付けに基づいて区間Ｌ２の伝送路に接続されている現用系伝送路装置が現用系伝送路装置１０−２及び１０−３であることを判別する。
【００３７】
遠隔伝送路切替指示部１３は、現用系伝送路装置１０−２又は１０−３のいずれに遠隔伝送路切替信号を発しても良いが、基本的にこれら両伝送路装置のうちの正常に動作している伝送路装置に遠隔伝送路切替信号を発することとし、両装置ともが正常動作している場合には例えば伝送路装置識別子の番号が小さい伝送路装置に遠隔伝送路切替信号を発するなどという条件を予め設定しておき、現用系伝送路装置１０−２へ遠隔伝送路切替信号を発する。
【００３８】
詳細には、遠隔伝送路切替指示部１３は、切替伝送装置認識信号、切替有無信号及び上り／下り伝送路切替選択信号を含む遠隔伝送路切替信号をＳＯＨに含め、フレーム伝送部１１をして送信せしめる。切替伝送装置認識信号は、現用系伝送路装置１０−２を示す識別子Ｍ１０−２である。切替有無信号は、「切替有り」を表している。上り／下り伝送路切替選択信号は、区間Ｌ２の伝送路が現用系伝送路装置１０−２から見て上り方向であることから「上り」を表している。
【００３９】
現用系伝送路装置１０−２の伝送路切替部１２は、ＳＯＨに含まれる切替伝送装置認識信号が識別子Ｍ１０−２を表していることから、切替処理の伝送路が自身の伝送路であると判別する。また、伝送路切替部１２は、上り／下り伝送路切替選択信号が「上り」を表していることから切替対象の伝送路が現用系伝送路６０−２であると判別する。また、伝送路切替部１２は、切替有無信号が「切替有り」であることから、実際に伝送路の切替を行うために強制切替信号ＦＳを現用系伝送路装置１０−３へ発する（ステップＳ１０３）。
【００４０】
図８は現用系伝送路装置１０−２と１０−３との間の伝送路切替処理における信号の交換を表すシーケンス図である。伝送路切替処理は、伝送路切替部１２がＳＯＨ内に含まれる切替信号Ｋ１及びＫ２を制御し、フレーム伝送部１１が切替信号Ｋ１及びＫ２を送受信することにより実行される。
【００４１】
現用系伝送路装置１０−２が遠隔伝送路切替信号を受信するまでは、現用系伝送路装置１０−２と１０−３とは、データ伝送すべき伝送路が現用系伝送路６０−２であることを表す切替なし信号ＮＢｉを相互に交換している（ステップＳ２００）。
【００４２】
遠隔伝送路切替信号に応じた現用系伝送路装置１０−２は、強制切替信号ＦＳを現用系伝送路装置１０−３へ送信する（ステップＳ２０１）。強制切替信号ＦＳに応じた現用系伝送路装置１０−３は切替応答信号ＲＲを現用系伝送路装置１０−２へ送信する（ステップＳ２０２、Ｓ１０６）。
【００４３】
切替応答信号ＲＲに応じた現用系伝送路装置１０−２は予備系伝送路装置２０−２との間で現用系伝送路６０−２から予備系伝送路７０−２への伝送路切替を行い、切り替え完了後にデータ伝送すべき伝送路が予備系伝送路７０−２であることを表す切替なし信号ＮＢｊを現用系伝送路装置１０−３へ送信する（ステップＳ２０３、Ｓ１０７）。切替なし信号ＮＢｊに応じた現用系伝送路装置１０−３は、同様に切り替え完了後にデータ伝送すべき伝送路が予備系伝送路７０−２であることを表す切替なし信号ＮＢｊを現用系伝送路装置１０−２へ送信する（ステップＳ２０４、Ｓ１０８）。
【００４４】
伝送路切替部１２は、ステップＳ２０１〜Ｓ２０４の処理を実行している間、現用系制御装置３０−２から別途の伝送路切替要求があった場合でも、この要求を受け付けずにステップＳ２０１〜Ｓ２０４の処理を実行する。
【００４５】
この間、伝送路装置１０−２は、伝送切替処理中である旨を表す切替中通知信号を伝送路装置１０−１へ継続して送信している（ステップＳ１０４）。また、伝送路装置１０−２は切替中通知信号を制御装置３０−２へ、伝送路装置１０−３は切替中通知信号を制御装置３０−３へ、それぞれ継続して送信している（ステップＳ１０５）。
【００４６】
伝送路切替処理完了後、伝送路装置１０−２は切替完了通知信号を制御装置３０−２へ、伝送路装置１０−３は切替完了通知信号を制御装置３０−３へ、それぞれ送信する（ステップＳ１０９）。また、伝送路装置１０−２は、伝送路切替処理完了後、切替完了通知信号を伝送路装置１０−１へ送信する（ステップＳ１１０）。
【００４７】
切替完了通知信号に応じた伝送路装置１０−１は、区間Ｌ２の伝送路切替が終了した旨の伝送路切替完了通知を制御装置３０−１へ送信する（ステップＳ１１１）。伝送路切替完了通知に応じた制御装置３０−１は伝送路切替完了通知を制御端末５０−１へ送信する（ステップＳ１１２）。
【００４８】
上記した処理は、切替伝送装置認識信号を識別子Ｍ１０−２として、遠隔伝送路切替信号を現用系伝送路装置１０−２へ送信した場合の例であるが、現用系伝送路装置１０−１の遠隔伝送路切替指示部１３は、切替伝送装置認識信号を識別子Ｍ１０−３として、遠隔伝送路切替信号を現用系伝送路装置１０−３へ送信するようにしても良い。図９は遠隔伝送路切替信号を現用系伝送路装置１０−３へ発した場合の伝送路切替処理における光伝送システム１の動作を表すシーケンス図である。
【００４９】
制御装置３０−１は、制御端末５０−１からの区間Ｌ２の伝送路切替要求に応じて、配下の伝送路装置である現用系伝送路装置１０−１へ区間Ｌ２の伝送路切替指示を発する（ステップＳ３０１）。
【００５０】
制御装置３０−１からの区間Ｌ２の伝送路切替指示に応じた現用系伝送路装置１０−１の遠隔伝送路切替指示部１３は、切替伝送装置認識信号を識別子Ｍ１０−３、切替有無信号を「切替有り」、伝送路切替選択信号を「下り」とした遠隔伝送路切替信号をＳＯＨに含め、フレーム伝送部１１をして送信せしめる（ステップＳ３０２）。
【００５１】
現用系伝送路装置１０−３の伝送路切替部１２は、ＳＯＨに含まれる切替伝送装置認識信号が識別子Ｍ１０−３を表していることから、切替処理の伝送路が自身の伝送路ではないと判別し、伝送路切替処理を行わない。
【００５２】
一方、現用系伝送路装置１０−３の伝送路切替部１２は、ＳＯＨに含まれる切替伝送装置認識信号が識別子Ｍ１０−３を表していることから、切替処理の伝送路が自身の伝送路であると判別する。また、伝送路切替部１２は、上り／下り伝送路切替選択信号が「下り」を表していることから切替対象の伝送路が現用系伝送路６０−２であると判別する。また、伝送路切替部１２は、切替有無信号が「切替有り」であることから、実際に伝送路の切替を行うために強制切替信号ＦＳを現用系伝送路装置１０−２へ発する（ステップＳ３０３）。
【００５３】
以降の伝送路切替処理（ステップＳ２０１〜Ｓ２０４、Ｓ３０３〜Ｓ３０８）及び切替完了通知処理（ステップＳ３０９〜Ｓ３１２）は上記したのと同様である。
【００５４】
制御端末５０−１が単一の区間（区間Ｌ２）の伝送路のみを切り替えるべき旨の指示を発した場合における光伝送システム１の動作については以上の説明のとおりである。以下、制御端末５０−１が区間Ｌ１及びＬ２の両伝送路の切替指示を発した場合における光伝送システム１の動作について図１０を参照しつつ説明する。
【００５５】
制御装置３０−１は、制御端末５０−１からの区間Ｌ２の伝送路切替要求に応じて、配下の伝送路装置である現用系伝送路装置１０−１へ区間Ｌ２の伝送路切替指示を発する（ステップＳ４０１）。
【００５６】
制御装置３０−１からの区間Ｌ２の伝送路切替指示に応じた現用系伝送路装置１０−１の遠隔伝送路切替指示部１３は、切替伝送装置認識信号を識別子Ｍ１０−３、切替有無信号を「切替有り」、伝送路切替選択信号を「下り」とした遠隔伝送路切替信号をＳＯＨに含め、フレーム伝送部１１をして送信せしめる（ステップＳ４０２）。
【００５７】
現用系伝送路装置１０−３の伝送路切替部１２は、ＳＯＨに含まれる切替伝送装置認識信号に応じて強制切替信号ＦＳを現用系伝送路装置１０−２へ発する（ステップＳ４０３）。これにより、現用系伝送路装置１０−２と１０−３との間で上記したのと同様の区間Ｌ２の伝送路切替処理が開始される。
【００５８】
一方、区間Ｌ２の伝送路切替処理がなされている間に、制御端末５０−１からの区間Ｌ１の伝送路切替要求に応じた制御装置３０−１は、配下の伝送路装置である現用系伝送路装置１０−１へ区間Ｌ１の伝送路切替指示を発する（ステップＳ４０４）。
【００５９】
現用系伝送路装置１０−１の伝送路切替部１２は、当該伝送路切替指示が区間番号Ｌ１であることから、切替対象の伝送路が自身の伝送路である現用系伝送路６０−１であると判別し、強制切替信号ＦＳを現用系伝送路装置１０−２へ発する（ステップＳ４０５）。これにより、現用系伝送路装置１０−１と１０−２との間で図８に示される伝送路切替処理が開始される。
【００６０】
図１０に示される如く、区間Ｌ１の伝送路切替処理と区間Ｌ２の伝送路切替処理とは並行して実行される。これらの伝送路切替処理は切替信号Ｋ１及びＫ２により実行されるものであるが、区間Ｌ１における切替信号Ｋ１及びＫ２と区間Ｌ２における切替信号Ｋ１及びＫ２とは各区間において別個に制御されるものであるので、これら両切替処理を並行して実行できる。
【００６１】
区間Ｌ２における伝送路切替処理が完了した場合には（ステップＳ４０６）、上記したのと同様に区間Ｌ２の切替完了通知処理（ステップＳ４０７〜Ｓ４０９）がなされる。区間Ｌ１における伝送路切替処理が完了した場合には（ステップＳ４１０）、区間Ｌ１の切替完了通知処理（ステップＳ４１１及びＳ４１２）がなされる。
【００６２】
一般にＳＯＨに含まれる切替信号Ｋ１及びＫ２は、これらを中継している区間内で占有されることになり、切り替え対象以外の伝送路の切り替えができなかったが、本実施例の如く、切替対象区間Ｌ２の伝送路を制御する伝送路装置へ遠隔伝送路切替信号を送信することにより区間Ｌ２で切替信号Ｋ１及びＫ２による伝送路切替処理を実行せしめ、別の切替対象区間Ｌ１で別途の切替信号Ｋ１及びＫ２による伝送路切替処理を行うことにより、区間Ｌ１の伝送路切替処理と区間Ｌ２の伝送路切替処理とを並行して実行することができる。
【００６３】
上記したように本実施例による光伝送システムによれば、複数区間の伝送路の切り替えを並行して実行することができる。
【図面の簡単な説明】
【００６４】
【図１】光伝送システムを表すブロック図である。
【図２】現用系伝送路装置を表すブロック図である。
【図３】ＳＯＨ領域とその領域に割り当てられる信号を表す図である。
【図４】遠隔伝送路切替信号に含まれる信号を表す図である。
【図５】光伝送システムの一部を詳細に表したブロック図である。
【図６】伝送路切替処理における光伝送システムの動作を表すシーケンス図である。
【図７】伝送路装置対応テーブルを表す図である。
【図８】伝送路切替処理における信号の交換を表すシーケンス図である。
【図９】別の伝送路切替処理における光伝送システムの動作を表すシーケンス図である。
【図１０】２つの区間を並行して切り替える場合における光伝送システムの動作を表すシーケンス図である。
【符号の説明】
【００６５】
１  光伝送システム
１０−１〜１０−ｎ  現用系伝送路装置
１１  フレーム伝送部
１２  伝送路切替部
１３  遠隔伝送路切替指示部
２０−１〜２０−ｎ  予備系伝送路装置
３０−１〜３０−Ｎ  現用系制御装置
４０−１〜４０−Ｎ  予備系制御装置
５０−１〜５０−３  制御端末
６０−１〜６０−ｎ  現用系伝送路
７０−１〜７０−ｎ  予備系伝送路
【図１】
2010074601.tif 000003
【図２】
2010074601.tif 000004
【図３】
2010074601.tif 000005
【図４】
2010074601.tif 000006
【図５】
2010074601.tif 000007
【図６】
2010074601.tif 000008
【図７】
2010074601.tif 000009
【図８】
2010074601.tif 000010
【図９】
2010074601.tif 000011
【図１０】
2010074601.tif 000012